(57)【要約】  本発明は、ケース中央部（11）、背面カバー（12）、及び回転ベゼル（13）によって形成されており、時刻表示手段（15, 16）と結合した時計のムーブメントを収容するケース（10）と、前記ケースが蝶番によって取り付けられると共に、そのベゼルの回転を防止する位置を取るために前記ケースを入れることができ、また、該ベゼルの回転を可能にするためにそこから取り出すことのできる筐体を定めるように形成されている枠体（22）とを有することを特徴とするダイバーズ腕時計に関する。【選択図】          図２
2008523372.tif 000002
【特許請求の範囲】
【請求項１】
−ケース中央部（11）、背面カバー（12）、及び回転ベゼル（13）によって形成されており、時刻表示手段（15, 16）と結合した時計のムーブメントを収容するケース（10）と、
−前記ケースが蝶番によって取り付けられると共に、そのベゼルの回転を防止する位置を取るために前記ケースを入れることができ、また、該ベゼルの回転を可能にするためにそこから取り出すことのできる筐体を定めるように形成されている枠体（22）と
を有することを特徴とするダイバーズ腕時計。
【請求項２】
前記第一の位置において前記ケースを固定する固定システムを有することを特徴とする、請求項１に記載の腕時計。
【請求項３】
前記固定システムが
−前記枠体（22）に固定された留め付け部材（34）、
−前記留め付け部材に結合される第一の位置と、前記留め付け部材から分離される第二の位置とを取ることができる、前記ケース（10）に取り付けられたレバー（27）、及び
−前記枠体に固定されると共に、前記レバーを操作する押し部材（33）
を有していることを特徴とする、請求項２に記載の腕時計。
【請求項４】
前記レバー（27）がケース中央部（11）に取り付けられており、ケース（10）内に設けられた凹陥部内に配置されることを特徴とする、請求項３に記載の腕時計。
【請求項５】
−前記回転ベゼル（13）が前記ケース中央部（11）の外径よりも明らかに大きい外径を有しており、その周縁部（19）において均等に配された複数の窪み（20）を有しており、
−枠体（22）の内側は、ケース中央部（11）と背面カバー（12）とを受容するが、ベゼル（13）は入らないように形成され、また、大きさが定められており、該ベゼルは枠体上に当接するようになっており、
−前記枠体（22）は、前記窪み（20）の１つに入り込むピン（26）を備えており、前記回転ベゼルが前記枠体上に戻されると回転ベゼルが動かなくなる
ことを特徴とする、請求項１〜４のいずれか一項に記載の腕時計。
【請求項６】
前記ケース（10）が６時の位置に設けられた蝶番（21）によって、前記枠体（22）に取り付けられていることを特徴とする、請求項１〜５のいずれか一項に記載の腕時計。
【請求項７】
前記腕時計のムーブメントが指令竜頭（18）に結合されており、該指令竜頭（18）が12時の位置に配置されていることを特徴とする、請求項１〜６のいずれか一項に記載の腕時計。
【請求項８】
前記ケース（10）が枠体（22）から解放されて前記回転ベゼル（13）の回転が可能になる、少なくとも１つの第二の位置に前記ケースを保持する手段を有していることを特徴とする、請求項１〜７のいずれか一項に記載の腕時計。
【請求項９】
前記枠体に対してケースの動きを制限する阻止部材（40）を有していることを特徴とする、請求項１〜８のいずれか一項に記載の腕時計。
【発明の詳細な説明】
【技術分野】
【０００１】
本発明は時計に関し、更に詳しくは、ダイバーズ腕時計に関する。
【背景技術】
【０００２】
このタイプの商品は、通常60分に対応する目盛を有する回転ベゼルを公知の方法で備えている。このようなベゼルは、最初に、分針の位置に対してダイバーによってセットされ、水中で過ごした時間または浮上しなければならない時刻までの残り時間の永久的な表示をダイバーに与える。
【０００３】
ベゼルは様々な衝撃を受ける可能性があるにも関わらず、潜水している全時間に亘ってこのベゼルは絶対に動いてはならず、動いてしまえばダイバーが重大な危険にさらされる可能性のあることは、容易に理解することができる。
【発明の開示】
【発明が解決しようとする課題】
【０００４】
本発明の目的は、満足な外観を保ちながら、そのベゼルが不当に回転するのを信頼性高く防ぐ手段を備えたダイバーズ腕時計を提供することである。
【課題を解決するための手段】
【０００５】
より正確には、ダイバーズ腕時計に関し、
−ケース中央部、背面カバー、及び回転ベゼルによって形成されており、時刻表示手段と結合した時計のムーブメントを収容するケースと、
−前記ケースが蝶番によって取り付けられると共に、そのベゼルの回転を防止する位置を取るために前記ケースを入れることができ、また、該ベゼルの回転を可能にするためにそこから取り出すことのできる筐体を定めるように形成されている枠体と
を有することを特徴とする。
【０００６】
好適には、本発明の時計は、前記枠体内における前記ケースの固定を確実に行う手段を有しており、これらの手段は
−前記枠体に固定された留め付け部材、
−前記留め付け部材に結合される第一の位置と、前記留め付け部材から分離される第二の位置とを取ることができる、前記ケースに取り付けられたレバー、及び
−前記枠体に固定されると共に、前記レバーを操作する押し部材
を有している。
【発明を実施するための最良の形態】
【０００７】
他の特徴は、添付の図面を参照してなされる以下の記載から明らかになろう。
【０００８】
図面は、ケース中央部11、ねじ（図示されていない）によって該ケース中央部に固定されている背面カバー12、及び、ガラス14を取り囲むと共に従来の方法でケース中央部に連結されている回転ベゼル13によって形成されている円形の時計のケース10を示している。このケースは、針16によって文字盤15上に現在時刻を表示する時計のムーブメントを収容しており、一方、回転ベゼル13は、前記文字盤と同心であると共に、１時間を構成する60分に対応する、均等に配された60の目盛を有する環17に結合されている。
【０００９】
ムーブメントを操作するのに使用される水密の竜頭18は、文字盤の12時の位置に配されることを指摘しておく。
【００１０】
回転ベゼル13はケース中央部11よりも明らかに大きい外径を有しており、その周縁部19において、該ケースの背面カバー側の面に均等に配された60個の窪みを有している。この窪みの目的は後で記載する。
【００１１】
ケース10は、３時及び９時の位置に対応する側でベゼル13の外形に従った外形を有する枠体22上に、文字盤の６時の位置において、蝶番21によって取り付けられる。この枠体は、６時及び12時の位置において、時計のバンドの連結部24を固定する手段を形成する、徐々に細くなる２つの部分23を有している。
【００１２】
図４及び図５に詳細に説明されているように、蝶番21は、例えば、枠体の前記部分23に固定された蝶番ピン35と、ケース10に固定されると共に該蝶番ピン35の周囲を軸支回動する２本の管状要素36とからなっている。このピンは、前記枠体の前記部分23に形成された管内に配置されており、この管は複数の溝37によって切断されており、これによってピン35が見えるようになっている。前記管状要素36はこの溝37の位置において前記ピン35を包み、その軸支回動は溝を形成する側壁によって案内される。
【００１３】
ケース中央部11は、枠体の前記部分23に最も近い領域において、突出していてばね状に動くようになっている少なくとも１つの雄部材38を備えている。以下の記載より理解されるように、この雄部材38は、前記部分23に配されている図示されていない雌部材と共に留め具を形成する。当業者であれば、留め具による結合を達成する最適な方法を選択することができる。図面に提案されているように、雄部材38は、ケース中央部11の側壁厚み方向に可動であるように取り付けられ、ケース中央部に形成されたハウジング内に配置されたばねによってケース中央部11の外側の所定位置に保持されている、２個のボールによって形成することができる。雌部材は前記部分23に作られた空洞部で形成することができる。空洞部はケースの中央平面部の下にあり、下方、即ちケースの背面カバーに向かっているのが好ましい。
【００１４】
部分23の雌部材が設けられた領域には、以下にその役割を記載する阻止部材も備えている。この阻止部材は、前記蝶番21のピンに平行であって前記空洞部のわずかに下に位置している、例えば棒の形態をしている、突起物40からなっている。
【００１５】
枠体22の内側は、竜頭18、ケース中央部11、及び背面カバー12を受容するが、ベゼル13は入らないように形成され、また、大きさが定められている。ベゼルは、３時と９時の位置に近接する枠体のアーム25上に当接するようになっている。これらのアームの少なくとも１本は、その上方に、回転ベゼル13の60個の窪みの１つに入り込むピン26を備えており、ベゼルがアームの上に戻されるとベゼルが動かなくなる。
【００１６】
図１及び図２に示されているように、時計の重量を軽くし、また、アームの色とケース中央部11の色との対比によってその素敵な外観をより優れたものにするために、アーム25には孔が設けられているのが好ましい。
【００１７】
図３を特に参照すると、ケース中央部11は、背面カバー12に設けた凹陥部の内側で時計の面内を動くことのできるレバー27を、12時の位置に備えている。このレバーは、小さな板28によって形成されている。この板の一端が楕円形の開口部29を有し、その中にねじ30を取り付けて、自由に動くことが可能でありながらレバーはケース中央部11にしっかりと取り付けられる。したがって、図に示されている板28は第一の位置を占めることができ、その他端31はケース中央部の外面と同一平面内にある。板28は、また、図示されていない第二の位置を占めることができ、この位置において、他端31はケース中央部に押し付けられている。図示されていないばねが、板28を第一の位置に向かって押す機能を有している。
【００１８】
板28は切り欠き32を有しており、その役割はすぐに理解される。
【００１９】
再び図１及び図２を参照すると、アーム25の内の１本は、蝶番21と反対側の端部において、前記ばねをその第二の位置の方へ押すことによってばねの作用に対向する、板28の端部31と共に使用される押し部材33も有している。
【００２０】
図２は、12時の位置において、枠体22が、板28の切り欠き32内にその位置を占める留め部材、例えば、キノコ形のピン34を有し、該留め部材は前記押し部材33と共に固定システムを形成することを示している。
【００２１】
板28が第一の位置にあるときには、ピン34のふくらんだ頭部は切り欠き32に捕捉されて、枠体22（ピン34はこの枠体に取り付けられている）をケース中央部11（板28はケース中央部に取り付けられている）から離すことができない。ベゼル13はその窪み20の１つに入り込んだピン26によって動けなくなっているので、ベゼル13を回転させることはもはや不可能である。
【００２２】
これとは反対に、板28が第二の位置にあるときには、ピン34のふくらんだ頭部は切り欠き32から解放され、ケース中央部11から枠体22が離れることが可能になる。蝶番21を軸として回転させることにより、ケースを枠体22から外すことができ、ベゼルの回転を可能にする。雄部材38と雌部材とによって形成される留め具によって、軸支回動によって枠体から離れた後にケース10を所定の位置に保持することができ、ベゼル13の調整を容易にする。留め具が係合するのに必要なケース10の軸支回動角度がベゼルの操作を簡単にするような角度であるように、雄部材と雌部材とのそれぞれの位置を調節する。通常、この角度は約40〜50°である。
【００２３】
自発的なものであれ、事故によるものであれ、万一、ケース10により大きな角度で軸支回動させる力がかかってしまった場合は、雄部材38が雌部材から外れ、突出部40と接触するようになる。この突出部は、雄部材が乗り越えられないような大きさになっている。したがって、この例においては、棒によって前記２つのボールが止められ、ケースの動きを制限すると共にガラスが周囲の物に対して持ち上がってしまうのを防ぐ。
【００２４】
このようにして、通常の使用においてはケース10が枠体22内に捕捉・固定されて、ダイバーによって先にセットされた回転ベゼル13がいかなる環境においても動かないようになっているダイバーズ腕時計が提案される。必要であれば、ベゼルを回転させて所望の潜水時間を表示すべく枠体からケースが離れるように、ケースを解放して軸支回動させるために押し部材33は使用される。
【００２５】
以上に記載した態様は、本発明を説明するためにのみなされたものであって、本発明を制限するものではない。当業者であれば、ベゼルの回転が阻止される位置に時計のケースを保持するための別の固定手段を用いることができる。ベゼル用の別の不動化手段も採用することができる。例えば、枠体は、ベゼルに設けられた第二セットの歯と咬合する第一セットの歯を有することもできる。また、蝶番を形成するピンと管状要素とは、反対の位置、即ち、ピンをケースに、管状要素を枠体に配することもできる。このことは、枠体とケースとの留め具接続を形成する要素にもあてはまる。枠体は、複数の留め具ポイントを提案して、ケースを様々な軸支回動角度で複数の位置に保持するように構成することもできる。より一般的には、当業者であれば、穴に嵌合する留め具以外の、枠体から外れた後にケースを所定の位置に保持する装置を提供することができる。
【図面の簡単な説明】
【００２６】
【図１】図１は、固定位置にある、本発明による腕時計の斜視図である。
【図２】図２は、開放位置にある、本発明による腕時計の斜視図である。
【図３】図３は、その固定レバーの一態様の詳細を示している。
【図４】図４は、本発明による装置の一詳細の斜視図である。
【図５】図５は、図４と同じ詳細を示しているが、よりよい理解のためにいくつかの部品を取り除いてある。
【図１】
2008523372.tif 000003
【図２】
2008523372.tif 000004
【図３】
2008523372.tif 000005
【図４】
2008523372.tif 000006
【図５】
2008523372.tif 000007
【国際調査報告】
2008523372.tif 000008
2008523372.tif 000009
2008523372.tif 000010
2008523372.tif 000011
2008523372.tif 000012
2008523372.tif 000013